(57)【特許請求の範囲】
【請求項１】
正面視で、機体を含み、前記機体の右側には風入り口が設置され、前記機体の左側には排風口が設置され、前記機体の中の上部には主動チャンバーが設置され、前記主動チャンバーの右側には補助チャンバーが設置され、前記主動チャンバーの下には警戒チャンバーが設置され、前記機体の上には上検知装置が設置され、前記警戒チャンバーの中の左側には左検知装置が設置され、前記警戒チャンバーの中の右側には右検知装置が設置され、前記主動チャンバーの内にはモーターが固定的に連結され、前記モーターには出力軸が伝動できるように連結され、前記出力軸には扇形ギヤが固定的に連結され、前記上検知装置の内には前記主動チャンバーの上壁と回転できるように連結された上軸が設置され、前記上軸には左上小ブロックと右上小ブロックとが固定的に連結され、前記左上小ブロックと前記右上小ブロックとにはそれぞれ左上羽根と右上羽根とがヒンジで連結され、前記左検知装置には前記警戒チャンバーの下壁と回転できるように連結された左軸が設置され、前記左軸には左外小ブロックと左内小ブロックとが固定的に連結され、前記左外小ブロックと前記左内小ブロックとにはそれぞれ左外羽根と左内羽根とがヒンジで連結され、前記右検知装置には前記警戒チャンバーの下壁と回転できるように連結された右軸が設置され、前記右軸には右内小ブロックと右外小ブロックとが固定的に連結され、前記右内小ブロックと前記右外小ブロックとにはそれぞれ右内羽根と右外羽根とがヒンジで連結され、軸が回転することにより羽根を回転連動させ、回転する時に遠心力を生み出し、羽根が水平位置になり、軸の回転が停止する時に羽根が垂直位置になり、そして下の電気回路に連通し、回転検知の目的を達成し、前記補助チャンバーの内には補助モーターが固定的に連結され、前記補助モーターには右出力軸が伝動できるように連結され、前記右出力軸には扇形はすば歯車が固定的に連結されていることを特徴とするクラウドサーバーセンター通風システム用検知システム。
【請求項２】
前記出力軸には第一はすば歯車が固定的に連結され、前記第一はすば歯車は前記上軸と固定的に連結された第二はすば歯車と噛み合っており、前記左上羽根と前記右上羽根との下には上導線が設置されていることを特徴とする請求項１に記載のクラウドサーバーセンター通風システム用検知システム。
【請求項３】
前記主動チャンバーの右壁には横軸が回転できるように連結され、前記横軸の左側には第一ギヤが固定的に連結され、前記第一ギヤが第二ギヤと噛み合っており、前記第二ギヤには前記主動チャンバーの左壁と回転できるように連結された左横軸が固定的に連結されていることを特徴とする請求項１に記載のクラウドサーバーセンター通風システム用検知システム。
【請求項４】
前記左横軸には左上鎖歯車が固定的に連結され、前記左上鎖歯車には左チェーンが伝動できるように連結され、前記左チェーンには左下鎖歯車が伝動できるように連結され、前記左下鎖歯車には排風軸が固定的に連結され、前記排風軸には排風ファンが固定的に連結されていることを特徴とする請求項３に記載のクラウドサーバーセンター通風システム用検知システム。
【請求項５】
前記排風口の内には排風網がスライドできるように連結され、前記排風口の内には左支持枠が固定的に連結され、前記左支持枠には前記排風軸が回転できるように連結されている。更に、前記横軸には右上鎖歯車が固定的に連結され、前記右上鎖歯車には右チェーンが伝動できるように連結され、前記右チェーンには右下鎖歯車が伝動できるように連結され、前記右下鎖歯車には風入り軸が固定的に連結され、前記風入り軸には風入りファンが固定的に連結されていることを特徴とする請求項４に記載のクラウドサーバーセンター通風システム用検知システム。
【請求項６】
前記風入り口の内には入口網がスライドできるように連結され、前記風入り口には第一支持枠と第二支持枠とが固定的に連結され、前記第一支持枠には風入り軸が回転できるように連結され、前記第二支持枠には入口軸が回転できるように連結され、前記入口軸には入口ファンが固定的に連結され、前記入口軸には第三はすば歯車が固定的に連結され、前記第三はすば歯車が第四はすば歯車と噛み合っており、前記第四はすば歯車には前記補助チャンバーの下壁と回転できるように連結された縦軸が固定的に連結され、前記縦軸には第五はすば歯車が固定的に連結され、前記第五はすば歯車が前記横軸と固定的に連結された第六はすば歯車と噛み合っていることを特徴とする請求項５に記載のクラウドサーバーセンター通風システム用検知システム。
【請求項７】
前記補助チャンバーの下壁には蓄電装置が固定的に連結され、前記補助モーターの電気回路が前記上導線と接続されていることを特徴とする請求項２に記載のクラウドサーバーセンター通風システム用検知システム。
【請求項８】
前記警戒チャンバーの上には膨張装置が固定的に連結され、前記膨張装置の内に膨張剤があり、前記膨張装置の内には伸縮棒がスライドできるように連結され、前記伸縮棒には上導線端が固定的に連結され、前記上導線端の下端には警戒ベルが設置され、前記警戒ベルの上端には入力導線端が固定的に連結され、前記警戒ベルの左端には左導線が固定的に連結され、前記警戒ベルの右端には右導線が固定的に連結され、羽根には電源の一端が連結され、羽根が回転を停止する時に導線に接触し、電気回路に連通されていることを特徴とする請求項１に記載のクラウドサーバーセンター通風システム用検知システム。
【発明の詳細な説明】
【技術分野】
【０００１】
本発明はクラウドサーバー通風設備分野を取り上げて、具体的にはクラウドサーバーセンター通風システム用検知システムである。
【背景技術】
【０００２】
全国各地の訪問者の訪問速度を満足するために、一部の大型ウェブサイトが全国各地の都市に信号点を配置し、サーバーマトリックスを作り、いろんな所にサーバーセンターを建て、こんなサーバーセンターの中に通常空気を流通することと熱を放散することのために通風設備の設置が必要であり、しかし、一部の換気設備が突然の停電や緊急事態の起こりにあう恐れがあり、こんな状況で完備な警戒システムが欠失し、それで通風システムの検知システムを設計することが必要となる。
【先行技術文献】
【特許文献】
【０００３】
【特許文献１】中国特許出願公開第１０９１４２６３４号明細書
【発明の概要】
【発明が解決しようとする課題】
【０００４】
本発明の目的はクラウドサーバーセンター通風システム用検知システムを提供し、それは上記の現在の技術中の問題を解決できる。
【課題を解決するための手段】
【０００５】
技術問題：通風設備は緊急状態に対応できる警戒システムを欠けている。
【０００６】
上記の課題を解決するため、本発明は以下の技術プランを採用する：本発明のクラウドサーバーセンター通風システム用検知システムは、機体を含み、前記機体の右側には風入り口が設置され、前記機体の左側には排風口が設置され、前記機体の中の上部には主動チャンバーが設置され、前記主動チャンバーの右側には補助チャンバーが設置され、前記主動チャンバーの下には警戒チャンバーが設置され、前記機体の上には上検知装置が設置され、前記警戒チャンバーの中の左側には左検知装置が設置され、前記警戒チャンバーの中の右側には右検知装置が設置され、前記主動チャンバーの内にはモーターが固定的に連結され、前記モーターには出力軸が伝動できるように連結され、前記出力軸には扇形ギヤが固定的に連結され、前記上検知装置の内には前記主動チャンバーの上壁と回転できるように連結された上軸が設置され、前記上軸には左上小ブロックと右上小ブロックとが固定的に連結され、前記左上小ブロックと前記右上小ブロックとにはそれぞれ左上羽根と右上羽根とがヒンジで連結され、前記左検知装置には前記警戒チャンバーの下壁と回転できるように連結された左軸が設置され、前記左軸には左外小ブロックと左内小ブロックとが固定的に連結され、前記左外小ブロックと前記左内小ブロックとにはそれぞれ左外羽根と左内羽根とがヒンジで連結され、前記右検知装置には前記警戒チャンバーの下壁と回転できるように連結された右軸が設置され、前記右軸には右内小ブロックと右外小ブロックとが固定的に連結され、前記右内小ブロックと前記右外小ブロックとにはそれぞれ右内羽根と右外羽根とがヒンジで連結され、軸が回転することにより羽根を回転連動させ、回転する時に遠心力を生み出し、羽根が水平位置になり、軸の回転が停止する時に羽根が垂直位置になり、そして下の電気回路に連通し、回転検知の目的を達成し、前記補助チャンバーの内には補助モーターが固定的に連結され、前記補助モーターには右出力軸が伝動できるように連結され、前記右出力軸には扇形はすば歯車が固定的に連結されている。
【０００７】
更の技術プラン、前記出力軸には第一はすば歯車が固定的に連結され、前記第一はすば歯車は前記上軸と固定的に連結された第二はすば歯車と噛み合っており、前記左上羽根と前記右上羽根との下には上導線が設置されている。
【０００８】
更の技術プラン、前記主動チャンバーの右壁には横軸が回転できるように連結され、前記横軸の左側には第一ギヤが固定的に連結され、前記第一ギヤが第二ギヤと噛み合っており、前記第二ギヤには前記主動チャンバーの左壁と回転できるように連結された左横軸が固定的に連結されている。
【０００９】
更の技術プラン、前記左横軸には左上鎖歯車が固定的に連結され、前記左上鎖歯車には左チェーンが伝動できるように連結され、前記左チェーンには左下鎖歯車が伝動できるように連結され、前記左下鎖歯車には排風軸が固定的に連結され、前記排風軸には排風ファンが固定的に連結されている。
【００１０】
更の技術プラン、前記排風口の内には排風網がスライドできるように連結され、前記排風口の内には左支持枠が固定的に連結され、前記左支持枠には前記排風軸が回転できるように連結されている。前記横軸には右上鎖歯車が固定的に連結され、前記右上鎖歯車には右チェーンが伝動できるように連結され、前記右チェーンには右下鎖歯車が伝動できるように連結され、前記右下鎖歯車には風入り軸が固定的に連結され、前記風入り軸には風入りファンが固定的に連結されている。
【００１１】
更の技術プラン、前記風入り口の内には入口網がスライドできるように連結され、前記風入り口には第一支持枠と第二支持枠とが固定的に連結され、前記第一支持枠には風入り軸が回転できるように連結され、前記第二支持枠には入口軸が回転できるように連結され、前記入口軸には入口ファンが固定的に連結され、前記入口軸には第三はすば歯車が固定的に連結され、前記第三はすば歯車が第四はすば歯車と噛み合っており、前記第四はすば歯車には前記補助チャンバーの下壁と回転できるように連結された縦軸が固定的に連結され、前記縦軸には第五はすば歯車が固定的に連結され、前記第五はすば歯車が前記横軸と固定的に連結された第六はすば歯車と噛み合っている。
【００１２】
更の技術プラン、前記補助チャンバーの下壁には蓄電装置が固定的に連結され、前記補助モーターの電気回路が前記上導線と接続されている。
【００１３】
更の技術プラン、前記警戒チャンバーの上には膨張装置が固定的に連結され、前記膨張装置の内に膨張剤があり、前記膨張装置の内には伸縮棒がスライドできるように連結され、前記伸縮棒には上導線端が固定的に連結され、前記上導線端の下端には警戒ベルが設置され、前記警戒ベルの上端には入力導線端が固定的に連結され、前記警戒ベルの左端には左導線が固定的に連結され、前記警戒ベルの右端には右導線が固定的に連結され、羽根には電源の一端が連結され、羽根が回転を停止する時に導線に接触し、電気回路に連通されている。
【発明の効果】
【００１４】
本発明は機械構造により電気回路の開閉をコントロールし、遠心力の原理を有効的に利用し、回転が正常に行われているかどうかを有効的に検知し、そして補助設備により補充作業を行い、停電する時にサーバーセンター内の通風が失効することを防止し、本発明は更に送排風ファンの回転状態と内部温度の変化を有効的に検知し、そしてタイムリーな警報を出す。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明のクラウドサーバーセンター通風システム用検知システムの全体構成略図
【図２】図２は図１のＡの拡大構成略図
【図３】図３は図１のＢの拡大構成略図
【図４】図４は図１のＣの拡大構成略図
【発明を実施するための形態】
【００１７】
本発明はクラウドサーバーセンター通風システム用検知システムを取り上げて、主に通風システムとシステム検知に応用する。
【００１８】
本発明の前記のクラウドサーバーセンター通風システム用検知システムは、機体１０を含み、前記機体１０の右側には風入り口５６が設置され、前記機体１０の左側には排風口１７が設置され、前記機体１０の中の上部には主動チャンバー７８が設置され、前記主動チャンバー７８の右側には補助チャンバー４１が設置され、前記主動チャンバー７８の下には警戒チャンバー７９が設置され、前記機体１０の上には上検知装置１１が設置され、前記警戒チャンバー７９の中の左側には左検知装置２２が設置され、前記警戒チャンバー７９の中の右側には右検知装置８０が設置され、前記主動チャンバー７８の内にはモーター１２が固定的に連結され、前記モーター１２には出力軸１３が伝動できるように連結され、前記出力軸１３には扇形ギヤ２７が固定的に連結され、前記上検知装置１１の内には前記主動チャンバー７８の上壁と回転できるように連結された上軸５９が設置され、前記上軸５９には左上小ブロック５８と右上小ブロック６０とが固定的に連結され、前記左上小ブロック５８と前記右上小ブロック６０とにはそれぞれ左上羽根５７と右上羽根６１とがヒンジで連結され、前記左検知装置２２には前記警戒チャンバー７９の下壁と回転できるように連結された左軸６６が設置され、前記左軸６６には左外小ブロック６８と左内小ブロック７０とが固定的に連結され、前記左外小ブロック６８と前記左内小ブロック７０とにはそれぞれ左外羽根６７と左内羽根６９とがヒンジで連結され、前記右検知装置８０には前記警戒チャンバー７９の下壁と回転できるように連結された右軸７５が設置され、前記右軸７５には右内小ブロック７３と右外小ブロック７４とが固定的に連結され、前記右内小ブロック７３と前記右外小ブロック７４とにはそれぞれ右内羽根７１と右外羽根７２とがヒンジで連結され、軸が回転することにより羽根を回転連動させ、回転する時に遠心力を生み出し、羽根が水平位置になり、軸の回転が停止する時に羽根が垂直位置になり、そして下の電気回路に連通し、回転検知の目的を達成し、前記補助チャンバー４１の内には補助モーター３７が固定的に連結され、前記補助モーター３７には右出力軸３６が伝動できるように連結され、前記右出力軸３６には扇形はすば歯車３５が固定的に連結されている。
【００１９】
有益的には、前記出力軸１３には第一はすば歯車３０が固定的に連結され、前記第一はすば歯車３０は前記上軸５９と固定的に連結された第二はすば歯車６３と噛み合っており、前記左上羽根５７と前記右上羽根６１との下には上導線６２が設置されている。
【００２０】
有益的には、前記主動チャンバー７８の右壁には横軸３１が回転できるように連結され、前記横軸３１の左側には第一ギヤ２８が固定的に連結され、前記第一ギヤ２８が第二ギヤ２９と噛み合っており、前記第二ギヤ２９には前記主動チャンバー７８の左壁と回転できるように連結された左横軸１４が固定的に連結されている。
【００２１】
有益的には、前記左横軸１４には左上鎖歯車１５が固定的に連結され、前記左上鎖歯車１５には左チェーン１６が伝動できるように連結され、前記左チェーン１６には左下鎖歯車２５が伝動できるように連結され、前記左下鎖歯車２５には排風軸２１が固定的に連結され、前記排風軸２１には排風ファン１８が固定的に連結されている。
【００２２】
有益的には、前記排風口１７の内には排風網１９がスライドできるように連結され、前記排風口１７の内には左支持枠２０が固定的に連結され、前記左支持枠２０には前記排風軸２１が回転できるように連結されている。
【００２３】
有益的には、前記横軸３１には右上鎖歯車３２が固定的に連結され、前記右上鎖歯車３２には右チェーン３３が伝動できるように連結され、前記右チェーン３３には右下鎖歯車４７が伝動できるように連結され、前記右下鎖歯車４７には風入り軸４８が固定的に連結され、前記風入り軸４８には風入りファン５０が固定的に連結されている。
【００２４】
有益的には、前記風入り口５６の内には入口網５５がスライドできるように連結され、前記風入り口５６には第一支持枠４９と第二支持枠５４とが固定的に連結され、前記第一支持枠４９には風入り軸４８が回転できるように連結され、前記第二支持枠５４には入口軸５２が回転できるように連結され、前記入口軸５２には入口ファン５３が固定的に連結され、前記入口軸５２には第三はすば歯車８２が固定的に連結され、前記第三はすば歯車８２が第四はすば歯車５１と噛み合っており、前記第四はすば歯車５１には前記補助チャンバー４１の下壁と回転できるように連結された縦軸３９が固定的に連結され、前記縦軸３９には第五はすば歯車３８が固定的に連結され、前記第五はすば歯車３８が前記横軸３１と固定的に連結された第六はすば歯車３４と噛み合っている。
【００２５】
有益的には、前記補助チャンバー４１の下壁には蓄電装置４０が固定的に連結され、前記補助モーター３７の電気回路が前記上導線６２と接続されている。
【００２６】
有益的には、前記警戒チャンバー７９の上には膨張装置４２が固定的に連結され、前記膨張装置４２の内に膨張剤４３があり、前記膨張装置４２の内には伸縮棒４４がスライドできるように連結され、前記伸縮棒４４には上導線端４５が固定的に連結され、前記上導線端４５の下端には警戒ベル２４が設置され、前記警戒ベル２４の上端には入力導線端４６が固定的に連結され、前記警戒ベル２４の左端には左導線２３が固定的に連結され、前記警戒ベル２４の右端には右導線２６が固定的に連結され、羽根には電源の一端が連結され、羽根が回転を停止する時に導線に接触し、電気回路に連通されている。
【００２７】
以下は図１〜４を合わせて本出願のクラウドサーバーセンター通風システム用検知システムの使用手順について詳しく説明する：
【００２８】
一、正常状況の時に、前記モーター１２が働き、前記出力軸１３が回転して前記扇形ギヤ２７を回転連動させ、前記蓄電装置４０が蓄電し始め、前記扇形はすば歯車３５と前記第五はすば歯車３８とが離脱状態にある。
【００２９】
二、停電の時に、前記モーター１２が停止し、前記出力軸１３の回転が停止し、前記上軸５９の回転が停止し、前記左上羽根５７と前記右上羽根６１とが遠心力を失って垂下し、前記上導線６２と接触し、前記補助モーター３７が働き始め、前記第五はすば歯車３８を回転連動させ、これによって前記排風ファン１８を回転連動させ、前記風入りファン５０と前記入口ファン５３とを回転連動させ、この時前記扇形ギヤ２７と前記第一ギヤ２８とが離脱状態にある。
【００３０】
三、前記排風軸２１に故障が起こって前記排風軸２１が回転しなくなった時、前記左外羽根６７と前記左内羽根６９とが遠心力を失って垂下し、前記左導線２３と接触し、前記警戒ベル２４が警報を出し、前記風入り軸４８に故障が起こって前記風入り軸４８作動しなくなった時、前記右内羽根７１と前記右外羽根７２とが遠心力を失って垂下し、前記右導線２６と接触し、前記警戒ベル２４が警報を出す。
【００３１】
四、火事が起こる時、または温度が過熱する時、前記膨張剤４３が膨張し、前記伸縮棒４４が下へ移動し、前記上導線端４５と前記導線端４６と接触し、前記警戒ベル２４が警報を出す。
【００３２】
本発明の有益効果は：本発明は機械構造により電気回路の開閉をコントロールし、遠心力の原理を有効的に利用し、回転が正常に行われているかどうかを有効的に検知し、そして補助設備により補充作業を行い、停電する時にサーバーセンター内の通風が失効することを防止し、本発明は更に送排風ファンの回転状態と内部温度の変化を有効的に検知し、そしてタイムリーな警報を出す。
【００３３】
以上の方式により、本領域の技術者が本発明の保護範囲で工作模式により各種な変形ができる。
【要約】
【課題】本発明はクラウドサーバーセンター通風システム用検知システムを開示した。
【解決手段】
本発明の前記のクラウドサーバーセンター通風システム用検知システムは、機体を含み、前記機体の右側には風入り口が設置され、前記機体の左側には排風口が設置され、前記機体の中の上部には主動チャンバーが設置され、前記主動チャンバーの右側には補助チャンバーが設置され、前記主動チャンバーの下には警戒チャンバーが設置され、前記機体の上には上検知装置が設置され、前記警戒チャンバーの中の左側には左検知装置が設置され、本発明は機械構造により電気回路の開閉をコントロールし、遠心力の原理を有効的に利用し、回転が正常に行われているかどうかを有効的に検知し、そして補助設備により補充作業を行い、停電する時にサーバーセンター内の通風が失効することを防止する。
【選択図】図１【図１】
0006703656.tif 000002
【図２】
0006703656.tif 000003
【図３】
0006703656.tif 000004
【図４】
0006703656.tif 000005